(57)【要約】【課題】電気掃除機用の吸込具において、補助空気ダクトより侵入する塵埃の堆積をなくし、堆積に伴う風量調整レバーの操作不良の防止等、機能障害も防止すること。【解決手段】下面に設けた吸込口１２と回転ブラシ１３とを有する回転ブラシ室１５と、回転ブラシ室１５の下流側に設けられエアータービン１６を有するタービン室１７と、回転ブラシ室１５とタービン室１７とを連通する塵埃吸気経路１９と、吸込口１２より塵埃吸気経路１９に至る第一吸引経路２３と、回転ブラシ室１５とタービン室１７との略中間に設けられた補助空気ダクトより塵埃吸気経路１９に至る第二吸引経路２４とを備え、第二吸引経路２４と塵埃吸気経路１９との貫通部である補助空気連通口２１を形成する開口壁を傾斜させた。これにより、前記開口壁での塵埃の堆積を発生し難くし、塵埃の堆積に伴う風量調整レバー２６の良好な動作の阻害を、防止することができる。【選択図】図３
2008061926.tif 000002
【特許請求の範囲】
【請求項１】
下面に設けた吸込口と前記吸込口に臨む回転ブラシとを有する回転ブラシ室と、前記回転ブラシ室の下流側に設けられエアータービンを有するタービン室と、前記回転ブラシ室とタービン室とを連通する塵埃吸気経路と、前記吸込口より前記塵埃吸気経路に至る第一吸引経路と、前記回転ブラシ室とタービン室との略中間に設けられた補助空気ダクトより前記塵埃吸気経路に至る第二吸引経路と、前記第二吸引経路と塵埃吸気経路との結合部である補助空気連通口と、前記第二吸引経路に吸引する空気量を調整する風量調整レバーとを備え、前記補助空気連通口を形成する開口壁を、床面に平行な部分を含まないように、傾斜させて構成したことを特徴とする吸込具。
【請求項２】
第二吸引経路途中かつ補助空気連通口の上方に設けられた摺動可能な閉鎖体を備え、風量調整レバーは、前記閉鎖体を摺動保持すると共に、前記閉鎖体の摺動により、吸込具外部から第二吸引経路に吸引する空気量の調整を可能とした請求項１記載の吸込具。
【請求項３】
第二吸引経路途中かつ補助空気連通口の上方に設けられ、回転軸を有して転がり摺動するローラーを備え、前記ローラーの外周面で、前記補助空気連通口の閉鎖を行って、吸込具外部から第二吸引経路に吸引する空気量の調整を可能とした請求項１記載の吸込具。
【請求項４】
請求項１〜３のいずれか１項に記載の吸込具を備えた電気掃除機。
【発明の詳細な説明】
【技術分野】
【０００１】
本発明は、電気掃除機用の吸込具に関し、特に吸込具に設けられたタービン室へ供給する空気を調整する調整手段に関するものである。
【背景技術】
【０００２】
従来のこの種の電気掃除機に用いられる吸込具は、以下に示すものであった。
【０００３】
すなわち図５に示すように、ブラシ室２９内に回転ブラシ３０を回転自在に設け、タービン室３９内に回転ブラシ３０を駆動する動力源のタービン４０を設置している。
【０００４】
また外気と連通した吸込口４６と、前記吸込口４６とタービン室３９を連通してタービン４０を駆動させる流入風を取り入れる駆動風流路４７が設けられている。
【０００５】
また、駆動風流路４７出口近傍を構成する壁体５０には、この出口近傍の開口面積を調節する風量調節手段４９が設けられている。
【０００６】
そして、電気掃除機本体の吸込能力が高いときは、タービン４０が異常な高回転をしないように、風量調節手段４９により開口面積を狭める。
【０００７】
また、電気掃除機本体の吸込能力が低いときは、集塵性能が十分に維持できるタービン４０の回転を得るために、風量調節手段４９により開口面積を広める。
【０００８】
以上のように、電気掃除機本体の吸込能力に応じた最適な駆動風流路４７の開口面積を簡単に設定できるようになる（例えば、特許文献１参照）。
【特許文献１】特開平１０−２９５５９６号公報
【発明の開示】
【発明が解決しようとする課題】
【０００９】
しかしながら、前記従来の構成では、図５からも明らかなように、駆動風流路に平面部を有する構成となっているため、吸引する空気に含有した塵埃の堆積が発生して、風量調節手段の良好な動作を阻害する可能性があった。
【００１０】
本発明は、前記従来の課題を解決するもので、駆動風流路における塵埃の蓄積をなくし、風量調節手段の良好な動作の阻害を防止して、吸込具の品質向上を図ることを目的とする。
【課題を解決するための手段】
【００１１】
前記従来の課題を解決するために、本発明の吸込具は、下面に設けた吸込口と前記吸込口に臨む回転ブラシとを有する回転ブラシ室と、前記回転ブラシ室の下流側に設けられエアータービンを有するタービン室と、前記回転ブラシ室とタービン室とを連通する塵埃吸気経路と、前記吸込口より前記塵埃吸気経路に至る第一吸引経路と、前記回転ブラシ室とタービン室との略中間に設けられた補助空気ダクトより前記塵埃吸気経路に至る第二吸引経路と、前記第二吸引経路と塵埃吸気経路との結合部である補助空気連通口と、前記第二吸引経路に吸引する空気量を調整する風量調整レバーとを備え、前記補助空気連通口を形成する開口壁を、床面に平行な部分を含まないように、傾斜させて構成したことを特徴とするものである。これにより、開口壁まわりに平面部が無くなり、塵埃の堆積を発生し難くでき、塵埃の堆積に伴う風量調整レバーの良好な動作の阻害を、防止することができる。
【発明の効果】
【００１２】
本発明の吸込具は、補助空気ダクトより第二吸引経路内に侵入する塵埃の堆積を防止して、堆積に伴う風量調整レバーの良好な動作の阻害を、防止することができる。
【発明を実施するための最良の形態】
【００１３】
第１の発明は、下面に設けた吸込口と前記吸込口に臨む回転ブラシとを有する回転ブラシ室と、前記回転ブラシ室の下流側に設けられエアータービンを有するタービン室と、前記回転ブラシ室とタービン室とを連通する塵埃吸気経路と、前記吸込口より前記塵埃吸気経路に至る第一吸引経路と、前記回転ブラシ室とタービン室との略中間に設けられた補助空気ダクトより前記塵埃吸気経路に至る第二吸引経路と、前記第二吸引経路と塵埃吸気経路との結合部である補助空気連通口と、前記第二吸引経路に吸引する空気量を調整する風量調整レバーとを備え、前記補助空気連通口を形成する開口壁を、床面に平行な部分を含まないように、傾斜させて構成したことを特徴とするものである。これにより、開口壁まわりに平面部が無くなり、塵埃の堆積を発生し難くでき、塵埃の堆積に伴う風量調整レバーの良好な動作の阻害を、防止することができる。
【００１４】
第２の発明は、第１の発明に加えて、第二吸引経路途中かつ補助空気連通口の上方に設けられた摺動可能な閉鎖体を備え、風量調整レバーは、前記閉鎖体を摺動保持すると共に、前記閉鎖体の摺動により、吸込具外部から第二吸引経路に吸引する空気量の調整を可能としたことにより、閉鎖体により、容易に第二吸引経路内に吸引する空気量の調整を行えるようになる。
【００１５】
第３の発明は、第１の発明に加えて、第二吸引経路途中かつ補助空気連通口の上方に設けられ、回転軸を有して転がり摺動するローラーを備え、前記ローラーの外周面で、前記補助空気連通口の閉鎖を行って、吸込具外部から第二吸引経路に吸引する空気量の調整を可能としたことにより、補助空気連通口を形成する開口壁まわりに塵埃の堆積が発生しても、閉鎖体の摺動に比べて塵埃の噛込みが発生し難く、吸込具のさらなる品質向上を図ることができる。
【００１６】
第４の発明は、第１〜第３のいずれか１つの発明の吸込具を備えた電気掃除機としたことにより、補助空気ダクトより侵入する塵埃の堆積をなくすると共に、堆積に伴う風量調整レバーの良好な動作の阻害を、防止することができる吸込具を備えた電気掃除機が実現できる。
【００１７】
以下、本発明の実施の形態について、図面を参照しながら説明する。なお、この実施の形態によって本発明が限定されるものではない。
【００１８】
（実施の形態１）
図１は、本発明の実施の形態１における吸込具を接続した電気掃除の斜視図を示すものである。図１において、電気掃除機は、電気掃除機本体１にホース２、延長管３、吸込具４を接続して構成されている。電気掃除機本体１には吸引風を発生させる電動送風機５が設置され、その前方には吸引風により集められた塵埃を収容する集塵容器６が着脱自在に設けられ、集塵容器６はその周囲に自在に開口できる集塵容器蓋７により電気掃除機本体１内部に収められている。集塵容器６とホース２を接続するように、ホース２の一端に接続管３が設けられ、その逆端には、電気掃除機本体１の電動送風機５を制御する制御スイッチ１１を有したハンドル８が設けられている。ハンドル８には、ホース２を介して塵埃が通過する延長管３が着脱自在に接続されており、その逆端には、吸込具４が接続部を形成してなる回転アーム９により接続されている。
【００１９】
次に、吸込具４の本発明における機能手段の構成について、図２〜図３を用いて説明する。
【００２０】
図２、図３に示すように、前方に吸引口１２および回転ブラシ１３を設け、且つその上部には、スリット状開口孔とした補助空気ダクト１４を形成させた回転ブラシ室１５を構成している。回転ブラシ室１５の後方には、エアータービン１６および電気掃除機の本体１側への接続手段となる回転アーム９を配設させた、タービン室１７を構成している。前記回転ブラシ室１５とタービン室１７との間には、空間の仕切りを行う為の分割壁１８が設けられ、前記二室を分割している。分割壁１８下方には、回転ブラシ室１５に設けた吸込口１２からタービン室１７への吸引経路を形成するための塵埃吸気経路１９が設けられ、また分割壁１８上部には、補助空気ダクト１４に相対し上方のみを開口とさせ、Ｖ字状断面からなる溝状空間部２０を形成させている。また前記塵埃吸気経路１９に貫通する開口壁を、平面部並びに垂直面を形成せずに前後共に傾斜面を形成させた、略Ｖ字状の断面として補助空気連通口２１を設けている。
【００２１】
この構成により、開口壁まわりに平面部が無くなり、塵埃の堆積を発生し難くでき、塵埃の堆積に伴う風量調整レバーの良好な動作の阻害を、防止することができる。また前記回転ブラシ室１５の吸込口１２より吸引される第一吸引経路２３と、その上方補助空気ダクト１４から吸引される第二吸引経路２４との連通は達成されるものとなる。前記溝状空間部２０の内部には、下方傾斜部に合致収納させ、同じく傾斜面を形成してなり、別部品とした閉鎖体２５を収納させている。特にこの閉鎖体２５においては、前記溝状空間部２０内を摺動可能とさせたもので、前記補助空気連通口２１の開口上面に停止させることにより、その閉鎖を行うものである。また前記閉鎖体２５は、前記補助空気ダクト１４上方より挿入可能とし、同じく別部品で構成させた風量調整レバー２６により、保持固定される構成としている。これは、使用者による風量調整レバー２６の操作で第二吸引経路２４における導入空気量の制御を可能とさせるものであり、吸込口１２を形成する回転ブラシ室１５の真空度の増減調整を達成するものとなる。前記作用に伴い、使用者による吸込具４の吸着力制御が用意に達成され、操作性の改善を基に使用性の向上を図るものである。
【００２２】
（実施の形態２）
図４に示すように、前方に吸引口１２および回転ブラシ１３を設け、且つその上部には、スリット状開口孔とした補助空気ダクト１４を形成させた回転ブラシ室１５を構成している。回転ブラシ室１５後方には、エアータービン１６および電気掃除機の本体１側への接続手段となる回転アーム９を配設させたタービン室１７を構成している。前記回転ブラシ室１５とタービン室１７との間には、空間の仕切りを行う為の分割壁１８が設けられ、前記二室を分割している。分割壁１８下方には、回転ブラシ室１５に設けた吸込口１２からタービン室１７への吸引経路を達成させる為の塵埃吸気口１９を形成させ、また分割壁１８上部には、補助空気ダクト１４に相対し上方のみを開口とさせ、Ｖ字状断面からなる溝状空間部２０を形成させている。また前記塵埃吸引口１９に貫通する開口壁を、平面部並びに垂直面を形成せずに前後共に傾斜面を形成させた、略Ｖ字状の断面として補助空気連通口２１を設けている。
【００２３】
この構成により、開口壁まわりに平面部が無くなり、塵埃の堆積を発生し難くでき、塵埃の堆積に伴う風量調整レバーの良好な動作の阻害を、防止することができる。また前記回転ブラシ室１５の吸込口１２より吸引される第一吸引経路２３と、その上方補助空気導入ダクト１４から吸引される第二吸引経路２４との連通は達成されるものとなる。前記溝状空間部２０の溝内部には、回転軸３１を有し軟質材で前記溝状空間部２０下方形状に合致させたローラー外周面を形成する閉鎖体３３を収納している。またこの閉鎖体３３は、転がり摺動し軟質部３２で形成したローラーの外周面で、前記第一吸引経路と第二吸引経路を連結させる補助空気連通口２１の閉鎖を行う構成としている。その結果、部品収納部への塵埃堆積が発生しても、摺動構成に比べ塵埃の噛込み状態が発生せず機能部品の信頼性が向上するものとなる。また前記閉鎖体３３は、前記補助空気ダクト１４上方より挿入可能とし、同じく別部品で構成させた風量調整レバー２６により、保持固定される構成としている。これは、使用者による風量調整レバー２６の操作で第二吸引経路２４における導入空気量の制御を可能とさせるものであり、吸込口１２を形成する回転ブラシ室１５の真空度の増減調整を達成するものとなる。前記作用に伴い、使用者による吸込具４の吸着力制御が用意に達成され、操作性の改善を基に使用性の向上を図るものである。
【産業上の利用可能性】
【００２４】
以上のように、本発明にかかる吸込具は、補助空気ダクトより侵入する塵埃の堆積をなくし、堆積塵埃による良好な動作の阻害を防止するもので、品質向上の用途に幅広く適用できる。
【図面の簡単な説明】
【００２５】
【図１】本発明の実施の形態１における吸込具を接続した電気掃除の斜視図
【図２】同、吸込具の斜視図
【図３】同、吸込具の断面図
【図４】本発明の実施の形態２における吸込具の断面図
【図５】従来の吸込具の断面図
【符号の説明】
【００２６】
１    電気掃除機本体
２    ホース
３    延長管
４    吸込具
５    電動送風機
６    集塵容器
７    集塵容器蓋
８    ハンドル
９    回転アーム
１１  スイッチ
１２  吸込口
１３  回転ブラシ
１４  補助空気ダクト
１５  回転ブラシ室
１６  エアータービン
１７  タービン室
１８  分割壁
１９  塵埃吸気経路
２０  溝状空間部
２１  補助空気連通口
２３  第一吸引経路
２４  第二吸引経路
２５  閉鎖体
２６  風量調整レバー
【図１】
2008061926.tif 000003
【図２】
2008061926.tif 000004
【図３】
2008061926.tif 000005
【図４】
2008061926.tif 000006
【図５】
2008061926.tif 000007